(57)【要約】【課題】高水圧用カプラー装置を提供する。【解決手段】本発明の高水圧用カプラー装置は、流体が流動する第１流動管と第２流動管とを接続する高水圧用カプラー装置であって、内部に前記流体の流動する第１貫通ホールが形成され、前記第１貫通ホールの一側が第１流動管の末端に結合される第１結合部材と、内部に前記流体の流動する第２貫通ホールが形成され、前記第２貫通ホールの一側が第２流動管の末端に結合される第２結合部材と、前記第１貫通ホールの他側及び前記第２貫通ホールの他側が互いに隣接した状態で前記第１結合部材及び前記第２結合部材を包むよう形成される固定部材と、前記固定部材の外周面の少なくとも一部を包むように形成される弾性部材とを含んでなる。【選択図】図２
2019152324.tif 000002
【特許請求の範囲】
【請求項１】
流体が流動する第１流動管と第２流動管とを接続する高水圧用カプラー装置であって、
内部に前記流体の流動する第１貫通ホールが形成され、前記第１貫通ホールの一側が第１流動管の末端に結合される第１結合部材と、
内部に前記流体の流動する第２貫通ホールが形成され、前記第２貫通ホールの一側が第２流動管の末端に結合される第２結合部材と、
前記第１貫通ホールの他側及び前記第２貫通ホールの他側が互いに隣接した状態で前記第１結合部材及び前記第２結合部材を包むよう形成される固定部材と、
前記固定部材の外周面の少なくとも一部を包むように形成される弾性部材とを含んでなる、高水圧用カプラー装置。
【請求項２】
前記第１結合部材は、前記第１貫通ホールの他側が形成される部位が、前記第２結合部材の内部に挿入されることを特徴とする、請求項１に記載の高水圧用カプラー装置。
【請求項３】
前記第１結合部材は、前記第２結合部材の内部に挿入される部位にシーリング部が備えられることを特徴とする、請求項２に記載の高水圧用カプラー装置。
【請求項４】
前記シーリング部は、前記第１貫通ホールの他側端に備えられ、前記第１貫通ホールの内径と同じ内径を有するリングの形状に形成されることを特徴とする、請求項３に記載の高水圧用カプラー装置。
【請求項５】
前記第２結合部材は、前記第１結合部材が挿入される部位の末端が相対的に大きい直径に形成され、
前記第１結合部材は、前記第２結合部材の内部に挿入された状態で、前記第２結合部材の末端と対応する部位が相対的に大きい直径に形成されることを特徴とする、請求項２に記載の高水圧用カプラー装置。
【請求項６】
前記固定部材は、
前記第１結合部材及び前記第２結合部材が相対的に大きい直径に形成される部位を包むように形成されることを特徴とする、請求項５に記載の高水圧用カプラー装置。
【請求項７】
前記固定部材は、
前記第１結合部材及び前記第２結合部材を包む部位の一側を包み込む第１固定部材と、
前記第１結合部材及び前記第２結合部材を包む部位の他側を包み込む第２固定部材とを含むことを特徴とする、請求項１に記載の高水圧用カプラー装置。
【請求項８】
前記弾性部材は、前記固定部材の外周面を包むリングが少なくとも一つ備えられることを特徴とする、請求項７に記載の高水圧用カプラー装置。
【請求項９】
前記固定部材は、前記弾性部材が挿入される挿入溝を有することを特徴とする、請求項８に記載の高水圧用カプラー装置。
【請求項１０】
前記弾性部材は、前記固定部材の外周面を包むスプリングの形状に形成されることを特徴とする、請求項７に記載の高水圧用カプラー装置。
【発明の詳細な説明】
【技術分野】
【０００１】
本発明は、高水圧用カプラー装置に係り、より詳細には、分離された固定部材を用いてカプラーを固定し、固定部材の外側面に弾性部材を結合して脱落を防止することにより、締結が容易であり、大きさ及び重量が減少し、ユーザーの不注意による緩みが防止される高水圧用カプラー装置に関する。
【背景技術】
【０００２】
一般に、カプラー（ｃｏｕｐｌｅｒ）は、一つの部材ともう一つの部材とを接続する接続具であって、特に、気体や液体などの流体を輸送するための配管やチューブ、パイプなどの管の相互間の接続及び分離のために使用する装置である。
【０００３】
上述のようにそれぞれの管を接続して流体を移送させ、管の接続部位から流体が漏れたり外部からの異物が流入したりするのを防止するために、カプラーは、雄カプラー（ｍａｌｅ  ｃｏｕｐｌｅｒ）及び雌カプラー（ｆｅｍａｌｅ  ｃｏｕｐｌｅｒ）からなり、雄カプラーが雌カプラーの内側に引き込まれて結合されるように形成されることが一般的である。
【０００４】
従来は、雄カプラーと雌カプラーとを螺合するなどの方法で結合するか、或いはカプラーの外側をクランプで包むように形成し、前記クランプをねじ締結するなどの方法で接続して管内部の流体を移送させる方法が使用された。
【０００５】
しかし、このような場合、ユーザーがカプラーを結合した状態で一定の大きさ以上の外力を加えてねじなどを締め付けなければならないので結合及び分離が難しく、場合によってはねじなどを締めたり緩めたりするための追加装置が必要であるという問題点がある。
【０００６】
また、一般に、ボルト、ナット及びねじなどの結合部材は、金属材質で形成されるので、管の結合のためのカプラー装置の重量が増加するという問題点がある。
【０００７】
前記結合部材が磨耗する場合、ねじ山接触部の空間差が発生して意図せぬ締結の緩みが発生するという問題点があり、振動や衝撃などの外力により締結が緩むという問題点もある。
【０００８】
一方、雄カプラー及雌カプラーのいずれか一方の内側には陥没する溝を形成し、もう一方の内側には突出するボールを形成することにより、雄カプラー及び雌カプラーのいずれか一方のボールがもう一方の溝に結合されて締結される方式も使われているが、このような場合、外力またはユーザーの不注意によりカプラーの締結が緩み易いという問題点がある。
【０００９】
よって、かかる問題点を解決するための方法が求められる。
【先行技術文献】
【特許文献】
【００１０】
【特許文献１】韓国特許登録第１０−０９８１９１７号明細書
【特許文献２】韓国特許公開第１０−２００８−００９０８２０号明細書
【特許文献３】韓国実用新案登録第２０−０４３２８６２号明細書
【発明の概要】
【発明が解決しようとする課題】
【００１１】
本発明は、背景技術で言及した問題点を解決するためになされたもので、その技術的課題は、分離された固定部材を用いてカプラーを固定し、固定部材の外側面に弾性部材を結合して脱落を防止することにより、締結が容易であり、大きさ及び重量が減少し、ユーザーの不注意による緩みが防止される高水圧用カプラー装置を提供することにある。
【００１２】
本発明が解決しようとする技術的課題は上述した技術的課題に制限されず、上述していない別の技術的課題は以降の記載から本発明の属する技術分野における通常の知識を有する者に明確に理解できるであろう。
【課題を解決するための手段】
【００１３】
上記の技術的課題を解決するための本発明に係る高水圧用カプラー装置は、流体が流動する第１流動管と第２流動管とを接続する高水圧用カプラー装置であって、内部に前記流体が流動する第１貫通ホールが形成され、前記第１貫通ホールの一側が第１流動管の末端に結合される第１結合部材、内部に前記流体が流動する第２貫通ホールが形成され、前記第２貫通ホールの一側が第２流動管の末端に結合される第２結合部材、前記第１貫通ホールの他側と前記第２貫通ホールの他側とが互いに隣接した状態で前記第１結合部材及び前記第２結合部材を包むように形成される固定部材、及び前記固定部材の外周面の少なくとも一部を包むように形成される弾性部材を含むことができる。
【００１４】
前記第１結合部材は、前記第１貫通ホールの他側が形成される部位が、前記第２結合部材の内部に挿入されるように形成できる。
【００１５】
また、前記第１結合部材は、前記第２結合部材の内部に挿入される部位にシーリング部が備えられ得る。
【００１６】
このとき、前記シーリング部は、前記第１貫通ホールの他側端に備えられ、前記第１貫通ホールの内径と同じ内径を有するリングの形状に形成できる。
【００１７】
また、前記第２結合部材は、前記第１結合部材が挿入される部位の末端が相対的に大きい直径に形成され、前記第１結合部材は、前記第２結合部材の内部に挿入された状態で、前記第２結合部材の末端に対応する部位が相対的に大きい直径に形成できる。
【００１８】
一方、前記固定部材は、前記第１結合部材及び前記第２結合部材が相対的に大きい直径に形成される部位を包むように形成できる。
【００１９】
また、前記固定部材は、前記第１結合部材及び前記第２結合部材を包む部位の一側を包む第１固定部材と、前記第１結合部材及び前記第２結合部材を包む部位の他側を包む第２固定部材とを含むことができる。
【００２０】
また、前記弾性部材は、前記固定部材の外周面を包むリングが少なくとも一つ備えられるように形成できる。
【００２１】
このとき、前記固定部材は、前記弾性部材が挿入される挿入溝を有してもよい。
【００２２】
また、前記弾性部材は、前記固定部材の外周面を包むスプリングの形状に形成できる。
【発明の効果】
【００２３】
上述した構成による本発明は、次の効果を期待することができる。
【００２４】
まず、流動管が結合された結合部材の両側で、分離された固定部材を接するようにし、固定部材の外側面に弾性部材を嵌めて結合する簡便な作業によって選択的に結合することができるため、流体が流動する管相互間の接続及び分離が容易である。
【００２５】
また、従来技術に比べて大きさ及び重量を画期的に減少させることができる。
【００２６】
また、ユーザーの不注意、振動、外力及び接続部材の摩耗によるカプラー装置の脱落及び分離を効果的に防止することができる。
【００２７】
このような本発明による効果は上述した効果に限定されず、上述していない別の効果は請求の範囲の記載から当業者に明確に理解できるであろう。
【図面の簡単な説明】
【００２８】
【図１】本発明に係る高水圧用カプラー装置の一実施形態の概略的な構成を示す図である。
【図２】本発明に係る高水圧用カプラー装置の一実施形態の分離斜視図である。
【図３】本発明に係る高水圧用カプラー装置の一実施形態の断面図である。
【図４】本発明に係る高水圧用カプラー装置の一実施形態の第１変形例に係る概略的な構成を示す図である。
【図５】本発明に係る高水圧用カプラー装置の一実施形態の第１変形例に係る分離斜視図である。
【図６】本発明に係る高水圧用カプラー装置の一実施形態の第１変形例に係る断面図である。
【発明を実施するための形態】
【００２９】
以下、添付図面を参照して本発明の実施形態を詳細に説明する。但し、本発明を説明するにあたり、既に公知の機能或いは構成についての説明は、本発明の要旨を明瞭にするために省略する。
【００３０】
併せて、本発明を説明するにあたり、前方／後方または上側／下側のように方向を指示する用語は、当業者が本発明を明確に理解することができるように記載されたものであって、相対的な方向を指示するものである。これらの用語により権利範囲が制限されない。
【００３１】
まず、図１乃至図３を参照して、本発明に係る高水圧用カプラー装置の一実施形態の構成について詳細に説明する。
【００３２】
ここで、カプラー（ｃｏｕｐｌｅｒ）装置は、一つの部材ともう一つの部材とを接続する接続具であって、気体や液体などの流体を輸送するための配管やチューブ、パイプなどの管の相互間の接続及び分離のために使用される装置である。本発明に係る高水圧用カプラー装置は、流体を輸送する様々な構造物を接続するために使用できるが、本実施形態では、高水圧用カプラー装置であることを基準に説明する。
【００３３】
後述する第１流動管及び第２流動管は、ホース、パイプ、貯蔵タンク及び開閉部など、多様に形成できる。
【００３４】
図１は本発明に係る高水圧用カプラー装置の一実施形態の概略的な構成を示す図、図２は本発明に係る高水圧用カプラー装置の一実施形態の分離斜視図、図３は本発明に係る高水圧用カプラー装置の一実施形態の断面図である。
【００３５】
本発明に係る高水圧用カプラー装置は、図１に示すように、分離された固定部材を用いてカプラーを固定し、固定部材の外側面に弾性部材を結合して脱落を防止することにより、締結が容易であり、大きさ及び重量が減少し、ユーザーの不注意による緩みが防止される構成であって、流体が流動する第１流動管と第２流動管とを接続する高水圧用カプラー装置において、第１結合部材１００、第２結合部材２００、固定部材３００及び弾性部材４００を含むことができる。
【００３６】
図２を参照すると、第１結合部材１００は、内部に流体の流動する第１貫通ホール１２０が形成され、第１貫通ホール１２０の一側が第１流動管の末端に結合されるように形成できる。
【００３７】
第２結合部材２００は、内部に流体の流動する第２貫通ホール２２０が形成され、第２貫通ホール２２０の一側が第２流動管の末端に結合されるように形成できる。
【００３８】
前述した構成において、第１流動管を流動する流体が第１結合部材１００の第１貫通ホール１２０及び第２結合部材２００の第２貫通ホール２２０を流動して第２流動管へ流動可能に形成できる。
【００３９】
このとき、第１結合部材１００は第１流動管の内部に挿入されて結合でき、第２結合部材２００は第２流動管の内部に挿入されて結合できる。
【００４０】
また、第１結合部材１００は第１流動管の末端が内部に挿入されて結合でき、第２結合部材２００は第２流動管の末端が内部に挿入されて結合できる。
【００４１】
したがって、第１流動管の末端及び第２流動管の末端から発生する流体の漏れを防止することができる。
【００４２】
一方、図２及び図３を参照すると、第１結合部材１００は、第１貫通ホール１２０の他側が形成される部位が第２結合部材２００の内部に挿入されるように形成できる。
【００４３】
より具体的に、第１結合部材１００は、第１貫通ホール１２０の一側が第１流動管に接続され、第１貫通ホール１２０の他側が形成される部位は第２結合部材２００の内部に挿入されるように設けられ、第１結合部材１００及び第２結合部材２００を流動する流体が第１結合部材１００と第２結合部材２００との隙間の間から漏れることを防止することができる。
【００４４】
第１結合部材１００は、第２結合部材２００の内部に挿入される部位にシーリング部５００が備えられ得る。
【００４５】
このとき、シーリング部５００は、第１結合部材１００が第２結合部材２００の内部に挿入される部位において、複数のシーリング部５１０、５２０、５３０が備えられ得る。
【００４６】
より具体的には、複数のシーリング部５１０、５２０、５３０のうち一つのシーリング部５１０は、第１貫通ホール１２０の他側端に備えられ、第１貫通ホール１２０の内径と同じ内径を有するリングの形状に形成できる。
【００４７】
このような構成において、第１貫通ホール１２０と第２貫通ホール２２０とが接する部分から発生するおそれのある流体漏れを効果的に防止することができる。
【００４８】
このとき、第１貫通ホール１２０の他側端が位置した第１結合部材１００の内側端部には陥没した溝が形成され、溝にシーリング部５１０が嵌め込まれてシーリング部５１０の内径と第１貫通ホール１２０の内径とが同一に形成されることが好ましい。
【００４９】
このような構成において、第１貫通ホール１２０及び第２貫通ホール２２０を流動する流体の流れによりシーリング部５１０が損傷することを防止し、流体の流速が減少することを防止することができる。
【００５０】
また、複数のシーリング部５１０、５２０、５３０のうちの他のシーリング部５２０、５３０は、第２結合部材２００の内部に挿入される第１結合部材１００の外周面を包むように形成できる。
【００５１】
前述した構成において、第１結合部材１００と第２結合部材２００とが結合される接合面から発生するおそれのある流体漏れをさらに防止することができるため、第１結合部材１００及び第２結合部材２００を流動する流体の漏れを二重防止するという効果を持つことができる。
【００５２】
このとき、シーリング部５２０、５３０が結合される第１結合部材１００の外周面には陥没した溝が形成され、この溝にシーリング部５２０、５３０が嵌め込まれるようにすることが好ましい。よって、第１結合部材１００と第２結合部材２００との接合面がより密着して、流体が漏れることを防止することができる。
【００５３】
一方、第２結合部材２００は、第１結合部材１００が挿入される部位の末端が相対的に大きい直径に形成され、第１結合部材１００は、第２結合部材２００内部に挿入された状態で、第２結合部材２００の末端と対応する部位が相対的に大きい直径に形成されることが好ましい。
【００５４】
このような構成において、第１結合部材１００と第２結合部材２００との接触面積を増やして相互間の圧着力及び密閉力を向上させることができるという効果を得ることができる。
【００５５】
以上、本発明に係る高水圧用カプラー装置の一実施形態の第１結合部材１００及び第２結合部材２００の詳細構成を考察した。以下、本発明に係る高水圧用カプラー装置の一実施形態の固定部材３００及び弾性部材４００の構成についてより詳細に考察する。
【００５６】
図２を参照すると、固定部材３００は、第１貫通ホール１２０の他側及び第２貫通ホール２２０の他側が互いに隣接した状態で第１結合部材１００及び第２結合部材２００を包むように形成できる。
【００５７】
このとき、固定部材３００は、第１結合部材１００及び第２結合部材２００が相対的に大きい直径に形成される部位を包むように形成されることが有利であり得る。
【００５８】
より具体的には、図２及び図３を参照すると、第２結合部材２００は、第１結合部材１００が挿入される部位の末端が相対的に大きい直径に形成され、第１結合部材１００は、第２結合部材２００の末端と対応する部位が相対的に大きい直径に形成される構成において、固定部材３００は、第１結合部材１００及び第２結合部材２００が相対的に大きい直径に形成される部位を包むように形成できる。
【００５９】
前述した構成において、第１結合部材１００及び第２結合部材２００をより安定的に固定することができ、固定部材３００が外力によって移動することを防止することができる。
【００６０】
一方、固定部材３００は、第１結合部材１００及び第２結合部材２００を包む部位の一側を包み込む第１固定部材３１０と、第１結合部材１００と第２結合部材２００を包む部位の他側を包み込む第２固定部材３２０とを含むことができる。
【００６１】
すなわち、図２を参照すると、第１固定部材３１０と第２固定部材３２０は、内部に中空部を有する半円筒状に形成され、第１固定部材３１０と第２固定部材３２０との結合の際に円筒状に形成されるように構成できる。
【００６２】
したがって、前記第１結合部材１００の第１貫通ホール１２０の他側と第２結合部材２００の第２貫通ホール２２０の他側とが互いに接した状態で、分離形成された半円筒状の第１固定部材３１０と第２固定部材３２０を両側で結合して接するようにする簡単な動作のみでユーザーが容易に締結することができるという効果を持つ。
【００６３】
このとき、第１固定部材３１０の一側と第２固定部材３２０の一側とはヒンジ結合でき、第１固定部材３１０の他側と第２固定部材３２０の他側とは互いに分離されるように形成され、ユーザーが使用をより容易にすることができるようにする方が有利である。
【００６４】
一方、弾性部材４００は、固定部材３００の外周面の少なくとも一部を包むように形成できる。
【００６５】
図２を参照すると、弾性部材４００は、固定部材３００の外周面を包むリングが少なくとも一つ備えられることを特徴とすることができる。
【００６６】
このような構成において、固定部材３００の外側から弾性部材を嵌める簡便な動作のみで、第１結合部材１００及び第２結合部材２００を容易に結合することができ、前述した方法を逆行する様態によって容易に分離することができる。
【００６７】
このとき、弾性部材４００は、弾性力のあるゴムで形成でき、バネなどのスプリングの形状に形成できる。弾性部材４００が弾性をもって固定部材３００の外周面を包むように形成されるならば、その形状及び素材には制限がなく様々であり得る。
【００６８】
したがって、従来技術では、金属材質のボルト、ナット、ねじなどを用いてユーザーが外力を加えて結合する方式を採用したが、本発明では、弾性素材の弾性部材４００を固定部材３００の外側から嵌める方式を採用するので、従来技術に比べて大きさ及び重量を画期的に減少させることができ、ユーザーがより少ない外力を用いて結合及び分離可能であるという効果を持つことができる。
【００６９】
このとき、固定部材３００は、弾性部材が挿入される挿入溝３３０が形成できる。
【００７０】
このような構成において、振動、衝撃、ユーザーの不注意などにより弾性部材４００が固定部材３００を離脱して締結が緩むことを防止することができる。
【００７１】
以上で、本発明に係る高水圧用カプラー装置の一実施形態にについて説明した。以下は、本発明に係る高水圧用カプラー装置の一実施形態の第１変形例について説明する。
【００７２】
本発明に係る高水圧用カプラー装置の一実施形態の第１変形例の構成において、後述する弾性部材６００の構成を除いた構成は、前述した本発明の一実施形態に係る高水圧用カプラー装置の構成と同様の構成なので、弾性部材６００の構成を除いた他の構成についての詳細な説明は省略する。
【００７３】
図４乃至図６に示すように、本発明の一実施形態の第１変形例に係る高水圧用カプラー装置の弾性部材６００は、固定部材３００の外周面を包むスプリングの形で形成できる。
【００７４】
より具体的には、図４を参照すると、第１貫通ホール１２０の他側及び第２貫通ホール２２０の他側が互いに隣接した状態で第１結合部材１００及び第２結合部材２００を包むように形成される固定部材３００の外周面の少なくとも一部を包み込むように形成される。この際、スプリングの形で固定部材３００の外周面の一側から他側へ向かって螺旋状に囲む形態で形成できる。
【００７５】
このような構成において、固定部材３００の外側から弾性部材を嵌める簡便な動作のみで第１結合部材１００と第２結合部材２００とを容易に結合することができ、前述した方法を逆行する様態によって容易に分離することができる。
【００７６】
このとき、弾性部材４００は、弾性力のあるゴムから形成でき、バネなどのスプリングの形で形成できる。弾性部材４００が弾性をもって固定部材３００の外周面を包むように形成されるならば、その形態及び素材は制限がなく様々であり得る。
【００７７】
したがって、従来技術では、金属材質のボルト、ナット、ねじなどを用いてユーザーが外力を加えて結合する方式を採用したが、本発明では、弾性素材の弾性部材６００を固定部材３００の外側から嵌めて結合する方式を採用するので、従来技術に比べて大きさ及び重量を画期的に減少することができ、ユーザーの少ない外力のみで結合が可能であるという効果を持つことができる。
【００７８】
このとき、固定部材３００は、弾性部材６００の挿入される挿入溝が形成され、この挿入溝の両側には突出部３４０が設けられ得る。
【００７９】
このような構成において、振動、衝撃、ユーザーの不注意などにより弾性部材６００が固定部材３００を離脱して締結が緩むことを防止することができる。
【００８０】
以上の如く、本発明に係る好適な実施形態を考察した。先立って説明された実施形態以外にも、本発明がその趣旨やカテゴリーから外れることなく、他の特定の形態に具体化できるという事実は、該当技術分野における通常の知識を有する者には自明であろう。よって、上述した実施形態は制限的なものではなく、例示的なものであると理解されるべきである。これにより、本発明は、上述した説明に限定されず、添付された請求の範囲の範疇及びその同等範囲内で変更されることも可能である。
【符号の説明】
【００８１】
１００    第１結合部材
１２０    第１貫通ホール
２００    第２結合部材
２２０    第２貫通ホール
３００    固定部材
３１０    第１固定部材
３２０    第２固定部材
３３０    挿入溝
３４０    突出部
４００、６００    弾性部材
５００、５１０、５２０、５３０    シーリング部
【図１】
2019152324.tif 000003
【図２】
2019152324.tif 000004
【図３】
2019152324.tif 000005
【図４】
2019152324.tif 000006
【図５】
2019152324.tif 000007
【図６】
2019152324.tif 000008
【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
流体が流動する第１流動管と第２流動管とを接続する高水圧用カプラー装置であって、
内部に前記流体の流動する第１貫通ホールが形成され、前記第１貫通ホールの一側が第１流動管の末端に結合される第１結合部材と、
内部に前記流体の流動する第２貫通ホールが形成され、前記第２貫通ホールの一側が第２流動管の末端に結合され、他側が前記第１結合部材の他側を挿入させる第２結合部材と、
前記第２結合部材の他側末端に形成され、相対的に大きい直径に形成される第２フランジと、
前記第１結合部材の他側末端が前記第２結合部材の内部に挿入された状態で、前記第１結合部材の他側で前記第２結合部材の第２フランジと対応するように相対的に大きい直径に形成される第１フランジと、
前記第１結合部材及び前記第２結合部材を包むよう形成され、前記第１フランジおよび第２フランジを包む部位の一側を包み込む第１固定部材と、前記第１フランジおよび第２フランジを包む部位の他側を包み込む第２固定部材とで分離されて形成される固定部材と、
前記固定部材の外周面の少なくとも一部を包むように形成される弾性部材と、
前記第２結合部材の内部に挿入され、前記第２結合部材の内測段部面に接する前記第１結合部材の他側端部面に陥没した溝が形成され、前記第１貫通ホールの内径と同一の内径を有するシーリング部と
を含んでなる、高水圧用カプラー装置。
【請求項２】
前記弾性部材は、前記固定部材の外周面を包むスプリングの形状に形成されることを特徴とする、請求項１に記載の高水圧用カプラー装置。
【手続補正２】
【補正対象書類名】明細書
【補正対象項目名】００５３
【補正方法】変更
【補正の内容】
【００５３】
一方、第２結合部材２００は、第１結合部材１００が挿入される部位の末端が相対的に大きい直径の第２フランジ２３０に形成され、第１結合部材１００は、第２結合部材２００内部に挿入された状態で、第２結合部材２００の末端と対応する部位が相対的に大きい直径の第１フランジ１３０に形成されることが好ましい。
【手続補正３】
【補正対象書類名】明細書
【補正対象項目名】００８１
【補正方法】変更
【補正の内容】
【００８１】
１００    第１結合部材
１２０    第１貫通ホール
１３０    第１フランジ
２００    第２結合部材
２２０    第２貫通ホール
２３０    第２フランジ
３００    固定部材
３１０    第１固定部材
３２０    第２固定部材
３３０    挿入溝
３４０    突出部
４００、６００    弾性部材
５００、５１０、５２０、５３０    シーリング部
【手続補正４】
【補正対象書類名】図面
【補正対象項目名】図３
【補正方法】変更
【補正の内容】
【図３】
2019152324.tif 000009